(57)【要約】      （修正有）【課題】迅速で、精度の高い印影鑑定を行うことができる印影鑑定支援方法および印影鑑定支援プログラムを提供する。【解決手段】対象印影が参照印影と同一であるか否かを判断する印影鑑定支援方法は、画像読取手段が、複数の対象印影と、少なくとも１の参照印影を読み取るステップ３０１と、記憶手段が、読み取られた対象印影、および参照印影の画像データを記憶するステップ３０２と、重ね合わせ手段が、記憶された複数の対象印影の画像データを重ね合わせするステップ３０３と、表示手段が、重ね合わせられた対象印影の画像データ、および少なくとも１の参照印影の画像データを、対比可能に表示するステップ３０４と、を含む。【選択図】図５
2019003253.tif 000002
【特許請求の範囲】
【請求項１】
対象印影が参照印影と同一であるか否かを判断する印影鑑定支援方法であって、
画像読取手段が、複数の対象印影を読み取るステップと、
画像読取手段が、少なくとも１の参照印影を読み取るステップと、
記憶手段が、読み取られた対象印影、および参照印影の画像データを記憶するステップと、
重ね合わせ手段が、記憶された複数の対象印影の画像データを重ね合わせするステップと、
表示手段が、重ね合わせられた対象印影の画像データ、および少なくとも１の参照印影の画像データを、対比可能に表示するステップとから成る、
ことを特徴とする印影鑑定支援方法。
【請求項２】
請求項１に記載の印影鑑定支援方法において、
輪郭化手段が、記憶された対象印影の画像データ及び参照印影の画像データの一部又は全てを輪郭化処理するステップを更に含み、
前記表示手段が実行するステップが、重ね合わせられた対象印影の画像データ（輪郭化処理された対象印影の画像データを含む）、および少なくとも１の参照印影の画像データ（輪郭化処理された参照印影の画像データを含む）を、対比可能に表示することであることを特徴とする印影鑑定支援方法。
【請求項３】
請求項１又は２に記載の印影鑑定支援方法において、
色彩変更手段が、参照印影の画像データの色彩を、対象印影の画像データの色彩とは異なる色彩に変更するステップを更に含むことを特徴とする印影鑑定支援方法。
【請求項４】
請求項３に記載の印影鑑定支援方法において、参照印影の画像データが複数ある場合に、
前記色彩変更手段が実行するステップが、参照印影の画像データの色彩を、対象印影の画像データの色彩とは異なる色彩であって、参照印影の画像データ毎に異なる色彩に変更することであることを特徴とする印影鑑定支援方法。
【請求項５】
対象印影が参照印顆と同一であるか否かを判断する印影鑑定支援方法であって、
画像読取手段が、複数の対象印影を読み取るステップと、
画像読取手段が、１の参照印顆の印面を読み取るステップと、
記憶手段が、読み取られた対象印影、および参照印顆の印面の画像データを記憶するステップと、
重ね合わせ手段が、記憶された複数の対象印影の画像データを重ね合わせするステップと、
反転手段が、記憶された参照印顆の印面の画像データを反転するステップと、
表示手段が、重ね合わせられた対象印影の画像データ、および反転された参照印顆の印面の画像データを、対比可能に表示するステップとから成る、
ことを特徴とする印影鑑定支援方法。
【請求項６】
請求項５に記載の印影鑑定支援方法において、
輪郭化手段が、記憶された対象印影の画像データ及び反転された参照印顆の印面の画像データの一部又は全てを輪郭化処理するステップを更に含み、
前記表示手段が実行するステップが、重ね合わせられた対象印影の画像データ（輪郭化処理された対象印影の画像データを含む）、および反転された参照印顆の印面の画像データ（輪郭化処理された、あるいは輪郭化処理されていない参照印顆の印面の画像データ）を、対比可能に表示することであることを特徴とする印影鑑定支援方法。
【請求項７】
請求項５又は６に記載の印影鑑定支援方法において、
色彩変更手段が、参照印顆の印面の画像データの色彩を、対象印影の画像データの色彩とは異なる色彩に変更するステップを更に含むことを特徴とする印影鑑定支援方法。
【請求項８】
対象印影が参照印影と同一であるか否かを判断するためにコンピュータを、
複数の対象印影と、少なくとも１の参照印影を読み取る画像読取手段と、
読み取られた対象印影、および参照印影の画像データを記憶する記憶手段と、
記憶された複数の対象印影の画像データを重ね合わせする重ね合わせ手段と、
重ね合わせられた対象印影の画像データ、および少なくとも１の参照印影の画像データを、対比可能に表示する表示手段、
として機能させるための印影鑑定支援プログラム。
【請求項９】
請求項８に記載の印影鑑定支援プログラムにおいて、前記コンピュータを、更に、
記憶された対象印影の画像データ及び参照印影の画像データの一部又は全てを輪郭化処理する輪郭化手段として機能させると共に、
前記表示手段は、重ね合わせられた対象印影の画像データ（輪郭化処理された対象印影の画像データを含む）、および少なくとも１の参照印影の画像データ（輪郭化処理された参照印影の画像データを含む）を、対比可能に表示することを特徴とする印影鑑定支援プログラム。
【請求項１０】
請求項８又は９に記載の印影鑑定支援プログラムにおいて、前記コンピュータを、更に、参照印影の画像データの色彩を、対象印影の画像データの色彩とは異なる色彩に変更する色彩変更手段として機能させるための印影鑑定支援プログラム。
【請求項１１】
請求項１０に記載の印影鑑定支援プログラムにおいて、参照印影の画像データが複数ある場合に、
前記色彩変更手段が、参照印影の画像データの色彩を、対象印影の画像データの色彩とは異なる色彩であって、参照印影の画像データ毎に異なる色彩に変更することを特徴とする印影鑑定支援プログラム。
【請求項１２】
対象印影が参照印顆と同一であるか否かを判断するためにコンピュータを、
複数の対象印影と、１の参照印顆の印面を読み取る画像読取手段と、
読み取られた対象印影、および参照印顆の印面の画像データを記憶する記憶手段と、
記憶された複数の対象印影の画像データを重ね合わせする重ね合わせ手段と、
記憶された参照印顆の印面の画像データを反転する反転手段と、
重ね合わせられた対象印影の画像データ、および反転された参照印顆の印面の画像データを、対比可能に表示する表示手段、
として機能させるための印影鑑定支援プログラム。
【請求項１３】
請求項１２に記載の印影鑑定支援プログラムにおいて、前記コンピュータを、更に、
対象印影の画像データ及び反転された参照印顆の印面の画像データの一部又は全てを輪郭化処理する輪郭化手段として機能させると共に、
前記表示手段が、重ね合わせられた対象印影の画像データ（輪郭化処理された対象印影の画像データを含む）、および反転された参照印顆の印面の画像データ（輪郭化処理された、あるいは輪郭化処理されていない参照印顆の印面の画像データ）を、対比可能に表示することを特徴とする印影鑑定支援プログラム。
【請求項１４】
請求項１２又は１３に記載の印影鑑定支援プログラムにおいて、前記コンピュータを、更に、
参照印顆の印面の画像データの色彩を、対象印影の画像データの色彩とは異なる色彩に変更する色彩変更手段として機能させることを特徴とする印影鑑定支援プログラム。
【発明の詳細な説明】
【技術分野】
【０００１】
本発明は、印影鑑定のための支援方法および支援プログラムに係るものであり、更に詳しくは、ある印影（対象印影）が特定の印影（参照印影）又は特定の印顆（参照印顆）と同一か否かを判断するための情報を提供する方法およびプログラムに係る。
【０００２】
ここで、「印顆」とは、動物の硬組織（牙や骨）、木材、石材、金属プラスチックなどの印材の面に凹凸の文字を加工した物体をいい、「印影」とは、印面（字面）に朱肉をつけ、紙などに押し写した形象をいう。
また、「ある印影（対象印影）が特定の印影（参照印影）と同一」とは、「ある印影（対象印影）と特定の印影（参照印影）は、同一の印顆を押印して得られた印影である」ことをいい、「ある印影（対象印影）が特定の印顆（参照印顆）と同一」とは、「ある印影（対象印影）が特定の印顆（参照印顆）を押印して得られた印影に相当する」ということを意味する。
【０００３】
なお、本明細書における「印影」には、「印面（字面）に朱肉をつけ、紙などに押し写した形象」そのもののみならず、「印面（字面）に朱肉をつけ、紙などに押し写した形象」の印影画像をプリントしたものやフォトコピー（例えば、印鑑登録証明書の印影画像はこれに当たる）なども含まれるものとする。
【背景技術】
【０００４】
印影鑑定の分野では、例えば、遺言書や契約書等に押印された印影が、特定の印影（例えば、印鑑登録証明書に記載された印影）と同一か否か、あるいは特定の印顆（参照印顆）を使用して押印した印影に相当するか否かということを判断することが求められている。
【０００５】
従来の印影鑑定の分野では、対比の対象となる２つの印影のそれぞれについて、基準間隔線２６と重ねて表示された印影を被鑑定物６０とし、この被鑑定物６０を顕微鏡１０の基台１２に置いて、検査用アタッチメント２５を介して顕微鏡１０により視認対比することにより、２つの印影の同一性を判断していた（特許文献１の段落［００２６］〜［００２８］参照）。
【０００６】
また、拡大された印影画像を並置し、それらを視認により比較対比するほか、拡大された印影画像をスーパーインポーズした上で比較対比する手法をとることもあった。
【０００７】
しかしながら、押印された印影は、朱肉の量や質、押印時の圧力、用紙の種類、用紙の下の表面状態等によってさまざまに変化するのが一般的であり、場合によっては印影の一部が欠損した状態の印影もあり、必ずしも正確な鑑定を行なうことができないという問題があった。
【先行技術文献】
【特許文献】
【０００８】
【特許文献１】特開２００２−３５２２４７号公報
【発明の概要】
【発明が解決しようとする課題】
【０００９】
本発明は、上述したような問題点に鑑みなされたものであり、解決しようとする課題は、迅速で、精度の高い印影鑑定を行うことができる印影鑑定のための支援方法および支援プログラムを提供することである。
【課題を解決するための手段】
【００１０】
上述した課題を解決するため、第１の観点に係る発明においては、対象印影が参照印影と同一であるか否かを判断する印影鑑定支援方法であって、
画像読取手段が、複数の対象印影を読み取るステップと、
画像読取手段が、少なくとも１の参照印影を読み取るステップと、
記憶手段が、読み取られた対象印影、および参照印影の画像データを記憶するステップと、
重ね合わせ手段が、記憶された複数の対象印影の画像データを重ね合わせするステップと、
表示手段が、重ね合わせられた対象印影の画像データ、および少なくとも１の参照印影の画像データを、対比可能に表示するステップとから成る構成の印影鑑定支援方法とした。
【００１１】
また、第２の観点に係る発明では、第１の観点に係る発明の印影鑑定支援方法において、
輪郭化手段が、記憶された対象印影の画像データ及び参照印影の画像データの一部又は全てを輪郭化処理するステップを更に含み、
表示手段が実行するステップが、重ね合わせられた対象印影の画像データ（輪郭化処理された対象印影の画像データを含む）、および少なくとも１の参照印影の画像データ（輪郭化処理された参照印影の画像データを含む）を、対比可能に表示する構成の印影鑑定支援方法とした。
【００１２】
また、第３の観点に係る発明では、第１又は第２の観点に係る発明の印影鑑定支援方法において、色彩変更手段が、参照印影の画像データの色彩を、対象印影の画像データの色彩とは異なる色彩に変更するステップを更に含む構成の印影鑑定支援方法とした。
【００１３】
また、第４の観点に係る発明では、第３の観点に係る発明の印影鑑定支援方法において、参照印影の画像データが複数ある場合に、
色彩変更手段が実行するステップが、参照印影の画像データの色彩を、対象印影の画像データの色彩とは異なる色彩であって、参照印影の画像データ毎に異なる色彩に変更する構成の印影鑑定支援方法とした。
【００１４】
更に、第５の観点に係る発明では、対象印影が参照印顆と同一であるか否かを判断する印影鑑定支援方法であって、
画像読取手段が、複数の対象印影を読み取るステップと、
画像読取手段が、１の参照印顆の印面を読み取るステップと、
記憶手段が、読み取られた対象印影、および参照印顆の印面の画像データを記憶するステップと、
重ね合わせ手段が、記憶された複数の対象印影の画像データを重ね合わせするステップと、
反転手段が、記憶された参照印顆の印面の画像データを反転するステップと、
表示手段が、重ね合わせられた対象印影の画像データ、および反転された参照印顆の印面の画像データを、対比可能に表示するステップとから成る構成の印影鑑定支援方法とした。
【００１５】
また、第６の観点に係る発明では、第５の観点に係る発明の印影鑑定支援方法において、
輪郭化手段が、記憶された対象印影の画像データ及び反転された参照印顆の印面の画像データの一部又は全てを輪郭化処理するステップを更に含み、
表示手段が実行するステップが、重ね合わせられた対象印影の画像データ（輪郭化処理された対象印影の画像データを含む）、および反転された参照印顆の印面の画像データ（輪郭化処理された、あるいは輪郭化処理されていない参照印顆の印面の画像データ）を、対比可能に表示する構成の印影鑑定支援方法とした。
【００１６】
また、第７の観点に係る発明では、第５又は第６の観点に係る発明の印影鑑定支援方法において、色彩変更手段が、参照印顆の印面の画像データの色彩を、対象印影の画像データの色彩とは異なる色彩に変更するステップを更に含む構成の印影鑑定支援方法とした。
【００１７】
更に、第８の観点に係る発明では、対象印影が参照印影と同一であるか否かを判断するためにコンピュータを、
複数の対象印影と、少なくとも１の参照印影を読み取る画像読取手段と、
読み取られた対象印影、および参照印影の画像データを記憶する記憶手段と、
記憶された複数の対象印影の画像データを重ね合わせする重ね合わせ手段と、
重ね合わせられた対象印影の画像データ、および少なくとも１の参照印影の画像データを、対比可能に表示する表示手段として機能させるための構成の印影鑑定支援プログラムとした。
【００１８】
また、第９の観点に係る発明では、第８の観点に係る発明の印影鑑定支援プログラムにおいて、コンピュータを、更に、
記憶された対象印影の画像データ及び参照印影の画像データの一部又は全てを輪郭化処理する輪郭化手段として機能させると共に、
表示手段は、重ね合わせられた対象印影の画像データ（輪郭化処理された対象印影の画像データを含む）、および少なくとも１の参照印影の画像データ（輪郭化処理された参照印影の画像データを含む）を、対比可能に表示する構成の印影鑑定支援プログラムとした。
【００１９】
また、第１０の観点に係る発明では、第８又は第９の観点に係る発明の印影鑑定支援プログラムにおいて、コンピュータを、更に、
参照印影の画像データの色彩を、対象印影の画像データの色彩とは異なる色彩に変更する色彩変更手段として機能させるようにした構成の印影鑑定支援プログラムとした。
【００２０】
また、第１１の観点に係る発明では、第１０の観点に係る発明の印影鑑定支援プログラムにおいて、参照印影の画像データが複数ある場合に、
色彩変更手段が、参照印影の画像データの色彩を、対象印影の画像データの色彩とは異なる色彩であって、参照印影の画像データ毎に異なる色彩に変更する構成の印影鑑定支援プログラムとした。
【００２１】
更に、第１２の観点に係る発明では、対象印影が参照印顆と同一であるか否かを判断するためにコンピュータを、
複数の対象印影と、１の参照印顆の印面を読み取る画像読取手段と、
読み取られた対象印影、および参照印顆の印面の画像データを記憶する記憶手段と、
記憶された複数の対象印影の画像データを重ね合わせする重ね合わせ手段と、
記憶された参照印顆の印面の画像データを反転する反転手段と、
重ね合わせられた対象印影の画像データ、および反転された参照印顆の印面の画像データを、対比可能に表示する表示手段として機能させる構成の印影鑑定支援プログラムとした。
【００２２】
また、第１３の観点に係る発明では、第１２の観点に係る発明の印影鑑定支援プログラムにおいて、コンピュータを、更に、
対象印影の画像データ及び反転された参照印顆の印面の画像データの一部又は全てを輪郭化処理する輪郭化手段として機能させると共に、
表示手段が、重ね合わせられた対象印影の画像データ（輪郭化処理された対象印影の画像データを含む）、および反転された参照印顆の印面の画像データ（輪郭化処理された、あるいは輪郭化処理されていない参照印顆の印面の画像データ） を、対比可能に表示する構成の印影鑑定支援プログラムとした。
【００２３】
また、第１４の観点に係る発明では、第１２又は第１３の観点に係る発明の印影鑑定支援プログラムにおいて、コンピュータを、更に、
参照印顆の印面の画像データの色彩を、対象印影の画像データの色彩とは異なる色彩に変更する色彩変更手段として機能させる構成の印影鑑定支援プログラムとした。
【発明の効果】
【００２４】
本発明の印影鑑定支援方法および印影鑑定支援プログラムでは、上述したように、重ね合わせ手段によって、記憶された複数の対象印影の画像データを重ね合わせるようにしたり、輪郭化手段によって、記憶された少なくとも１の参照印影の画像データを輪郭化処理したり、色彩変更手段によって、参照印影の画像データの色彩を、対象印影の画像データの色彩とは異なる色彩に変更したりすることにより、精度の高い鑑定を容易に実施することが可能になる。  また、これらの一連の処理は、コンピュータによって自動化されているため、迅速な印影鑑定を可能としている。
【図面の簡単な説明】
【００２５】
【図１】図１は、本発明の１実施形態に係る印影鑑定装置のシステム構成を示すブロック図である。
【図２】図２は、４つの対象印影とこれらの４つの対象印影（ａ，ｂ，ｃ，ｄ）を重ね合わせた結果としての対象印影の例を示したものである。
【図３】図３は、輪郭化手段により２つの参照印影を輪郭化処理した結果の例（ＡおよびＢ）と、複数の輪郭化処理した参照印影を重ね合わせた画像を示したものである。
【図４】図４は、重ね合わされた複数の対象印影と、輪郭化処理された複数の参照印影とを、表示手段によってスーパーインポーズして表示した例を示すものである。
【図５】図５は、対象印影と参照印影を比較評価することにより印影鑑定を行なう場合の、印影鑑定支援方法および印影鑑定支援プログラムのフローチャートを示すものである。
【図６】図６は、対象印影と参照印影を比較評価することにより印影鑑定を行なう場合の、印影鑑定支援方法および印影鑑定支援プログラムのフローチャートを示すものである。
【図７】図７は、対象印影と参照印影を比較評価することにより印影鑑定を行なう場合の、印影鑑定支援方法および印影鑑定支援プログラムのフローチャートを示すものである。
【図８】図８は、対象印影と参照印顆の印面を比較評価することにより印影鑑定を行なう場合の、印影鑑定支援方法および印影鑑定支援プログラムのフローチャートを示すものである。
【図９】図９は、対象印影と参照印顆の印面を比較評価することにより印影鑑定を行なう場合の、印影鑑定支援方法および印影鑑定支援プログラムのフローチャートを示すものである。
【図１０】図１０は、対象印影と参照印顆の印面を比較評価することにより印影鑑定を行なう場合の、印影鑑定支援方法および印影鑑定支援プログラムのフローチャートを示すものである。
【発明を実施するための形態】
【００２６】
以下、図面に基づき、本発明の実施形態について詳細に説明する。
図１は、本発明の１実施形態に係る印影鑑定支援装置１００のシステム構成を示すブロック図である。  図１に示す実施形態の印影鑑定支援装置１００は、汎用されているデスクトップコンピュータやラップトップコンピュータをベースとして構成されたものであり、ＣＰＵ（Central Processing Unit）のような演算処理装置１０１、スタートアップ時のコンピュータ内のエレメント間の情報転送を支援するＢＩＯＳ（Basic Input／Output System）を収納するＲＯＭ（Read Only Memory）１０２、実行時にオペレーション・システム（ＯＳ）やアプリケーションプログラム（本実施形態では、印影鑑定支援プログラム２００）、あるいはプログラムデータを収納するＲＡＭ（Random Access Memory）１０３、コマンドや情報を入力するためのキーボードやポインティングデバイス等の入力装置１０４、画像データを入力するためのスキャナーやカメラ等の読取装置１０５、結果を表示するためのモニターのような表示装置１０６、および結果をハードコピーとして出力するプリンターのような出力装置１０７から構成されている。
【００２７】
また、印影鑑定支援装置１００には、ハードディスク、磁気ディスク、光ディスク等のコンピュータ読取可能媒体とコンピュータとの間のデータの授受を行うコンピュータ読取可能媒体入出力装置（図示せず）を更に備えるようにすることもできる。
【００２８】
本発明に係る印影鑑定支援プログラム２００は、対象印影や参照印影の画像データ、並びに参照印顆の印面の画像データを読み込み、複数の印影画像データを重ね合わせ処理を行ない、印面の画像データを反転処理し、印影画像データや反転された印面の画像データの輪郭線を抽出（輪郭化処理）し、印影画像データや輪郭線の画像データの色彩を変更処理した上で、処理された画像データを対比可能に表示させることによって、対象印影と参照印影又は参照印顆の印面との対比評価できるようにしたものである。
【００２９】
図１に示すように、印影鑑定支援プログラム２００は、画像読取手段２０１、記憶手段２０２、重ね合わせ手段２０３、輪郭化手段２０４、色彩変更手段２０５、反転手段２０６、および表示手段２０７から構成されており、以下、これらついて詳細に説明する。
【００３０】
画像読取手段２０１は、用紙に押印され、又は印刷された印影や、印顆の印面を画像データとして読取るための手段である。  画像読取手段２０１は、例えばイメージスキャナを用いて解像度２４０dpiの２値画像として読取り、例えば１６０×１６０画素の大きさの画像データとするものである。
【００３１】
記憶手段２０２は、画像読取手段２０１により読取った画像データをＲＡＭの中にプログラムデータの一部として記憶するものである。
【００３２】
重ね合わせ手段２０３は、公知の手法により、記憶手段２０２によって記憶されている複数の対象印影の画像データ、あるいは複数の参照印影の画像データを重ね合わせるものであり、これにより、印影の一部が欠損した状態にある対象印影の画像データを、当該部分が欠損していない状態にある対象印影の画像データが補うことが可能となり、より正確な対象印影の画像データを構築することが可能となる。
なお、重ね合わせ手段２０３は、複数の対象印影のサイズが一致するように、重ね合わせ処理を実行する前に、各画像データの縮尺を調整することができるようにしても良い。
また、重ね合わせ手段２０３は、一部分のみしか存在しない対象印影の画像データ、例えば、印影の１／２あるいは１／３しか存在しない画像データであっても重ね合わせ処理が可能となっている。  これにより、契約書等において割り印、契印、消印等として押印された印影についても対象印影の画像データとして取り扱うことが可能となる。
【００３３】
輪郭化手段２０４は、公知の手法により、記憶手段２０２に記憶された種々の画像データを輪郭化処理するものであり、画像データの枠画線（印顆の印面の外周や特定領域を表示するための枠を表示する画線）や文字画線の外縁に相当する画素データのみを残し、その他の領域（画線の内側領域や画線の外側領域）の画素データを削除する処理を実行する。
【００３４】
色彩変更手段２０５は、公知の手法により、記憶手段２０２に記憶された種々の画像データの色彩を予め設定された色彩に変更する処理を行なうものである。
【００３５】
反転手段２０６は、公知の手法により、ある画像データを鏡像となる画像データに反転処理するものであり、例えば、印顆の印面の画像データを反転処理すると当該印顆の印影に相当する画像データが得られる。
【００３６】
表示手段２０７は、モニターのような表示装置１０６に、対象印影の画像データ（種々の処理を行なった画像データを含む）および参照印影の画像データ（種々の処理を行なった画像データを含む）を対比可能に表示するものである。
ここで、対比可能に表示することには、対比する２以上の画像データを拡大表示したり、並置したり、あるいはこれらの画像データをスーパーインポーズして表示することが含まれる。
【００３７】
図２は、４つの対象印影とこれらの４つの対象印影を重ね合わせた結果としての対象印影の例を示したものである。
また、図３は、輪郭化手段２０４により２つの参照印影を輪郭化処理した結果の例を示したものである。
更に、図４は、重ね合わされた対象印影と、輪郭化処理された２つの参照印影とを、表示手段２０７によってスーパーインポーズして表示した例を示すものである。
【００３８】
次に、本発明にかかる印影鑑定支援方法および印影鑑定支援プログラムの手順について説明する。  図５〜図７は、対象印影と参照印影を比較評価することにより印影鑑定を行なう場合の、印影鑑定支援方法および印影鑑定支援プログラムのフローチャートを示すものである。  以下、このフローチャートに基づき、手順を説明することにする。
【００３９】
まず、図５のステップ３０１において、画像読取手段２０１は、用紙等に押印された対象印影と参照印影を画像データとして読取る。  ステップ３０２においては、記憶手段２０２が、画像読取手段２０１により読取った画像データをＲＡＭの中にプログラムデータの一部として記憶する。  ステップ３０３においては、重ね合わせ手段２０３が、記憶された複数の対象印影の画像データ、あるいは複数の参照印影の画像データを重ね合わせ処理を行なう。  そして、ステップ３０４においては、表示手段２０７によって、重ね合わされた対象印影の画像データと参照印影の画像データが、表示装置１０６に対比可能に表示される。
【００４０】
このようにして表示された、重ね合わされた対象印影の画像データと参照印影の画像データによって、重ね合わされた対象印影の画像データと参照印影の画像データの形態的特徴を評価することができ、印影鑑定を容易に実行できるようになる。
【００４１】
また、図６に示すフローチャートに進むと、ステップ３０７においては、輪郭化手段２０４が、対象印影の画像データ、あるいは参照印影の画像データの一部又は全ての輪郭化処理を実行する。  そして、ステップ３０８においては、表示手段２０７によって、重ね合わされた対象印影の画像データ（輪郭化処理された対象印影の画像データを含む）と参照印影の画像データ（輪郭化処理された参照印影の画像データを含む）が、表示装置１０６に対比可能に表示される。
【００４２】
このようにして、重ね合わされた対象印影の画像データと輪郭化処理された参照印影の画像データを対比表示することにより、形態的特徴を更に詳細に評価することができ、印影鑑定を容易に実行できるようになる。
【００４３】
また、図７に示すフローチャートに進むと、ステップ３１１においては、重ね合わされた対象印影の画像データおよび参照印影の画像データ（輪郭処理化前および輪郭化処理後の画像データ）の色彩が選択され、この選択結果に基づきステップ３１２においては、色彩変更手段２０５によって、対象印影の画像データおよび参照印影の画像データの色彩が変更される。  そしてステップ３１３においては、表示手段２０７によって、色彩の変更された対象印影の画像データおよび参照印影の画像データが、表示装置１０６に対比可能に表示される。  なお、色彩変更手段２０５によって、画像データの色彩を変更する際、参照印影の画像データの色彩を、対象印影の画像データの色彩とは異なる色彩に変更することが望ましい。
【００４４】
このようにして、色彩を変更した対象印影の画像データと参照印影の画像データを対比表示することにより、形態的特徴を更に詳細に評価することができ、印影鑑定を容易に実行できるようになる。
【００４５】
次に、対象印影と参照印顆の印面を比較評価することにより印影鑑定を行なう場合の印影鑑定支援方法および印影鑑定支援プログラムの手順について説明する。  図８〜図１０は、対象印影と参照印顆の印面を比較評価することにより印影鑑定を行なう場合の、印影鑑定支援方法および印影鑑定支援プログラムのフローチャートを示すものである。  以下、このフローチャートに基づき、手順を説明することにする。
【００４６】
まず、図８のステップ４０１において、画像読取手段２０１は、用紙等に押印された対象印影と参照印顆の印面を画像データとして読取る。  ステップ４０２においては、記憶手段２０２が、画像読取手段２０１により読取った画像データをＲＡＭの中にプログラムデータの一部として記憶する。  ステップ４０３においては、重ね合わせ手段２０３が、記憶された複数の対象印影の画像データを重ね合わせ処理を行なう。  また、ステップ４０４においては、反転手段２０６が、記憶された参照印顆の印面の画像データを反転処理し、参照印顆の印影に相当する画像データを得る。  そして、ステップ４０５においては、表示手段２０７によって、重ね合わされた対象印影の画像データと反転された参照印顆の印面の画像データが、表示装置１０６に対比可能に表示される。
【００４７】
このようにして表示された、重ね合わされた対象印影の画像データと反転された参照印顆の印面の画像データによって、重ね合わされた対象印影の画像データと反転された参照印顆の印面の画像データの形態的特徴を評価することができ、印影鑑定を容易に実行できるようになる。
【００４８】
また、図９に示すフローチャートに進むと、ステップ４０８においては、輪郭化手段２０４が、対象印影の画像データ及び反転された参照印顆の印面の画像データの一部又は全ての輪郭化処理を実行する。  そして、ステップ４０９においては、表示手段２０７によって、重ね合わされた対象印影の画像データ（輪郭化処理された対象印影の画像データを含む）と反転処理された参照印顆の印面の画像データ（輪郭化処理された、あるいは輪郭化処理されていない参照印顆の印面の画像データ） が、表示装置１０６に対比可能に表示される。
【００４９】
このようにして、重ね合わされた対象印影の画像データと反転処理され、輪郭化処理された参照印顆の印面の画像データを対比表示することにより、形態的特徴を更に詳細に評価することができ、印影鑑定を容易に実行できるようになる。
【００５０】
また、図１０に示すフローチャートに進むと、ステップ４１２においては、重ね合わされた対象印影の画像データおよび反転処理された参照印顆の印面の画像データ（輪郭処理化前又は輪郭化処理後の画像データ）の色彩が選択され、この選択結果に基づきステップ４１３においては、色彩変更手段２０５によって、対象印影の画像データおよび反転処理された参照印顆の印面の画像データの色彩が変更される。  そしてステップ４１４においては、表示手段２０７によって、色彩の変更された対象印影の画像データおよび反転処理された参照印顆の印面の画像データが、表示装置１０６に対比可能に表示される。  なお、色彩変更手段２０５によって、画像データの色彩を変更する際、反転処理された参照印顆の印面の画像データの色彩を、対象印影の画像データの色彩とは異なる色彩に変更することが望ましい。
【００５１】
このようにして、色彩を変更した対象印影の画像データと反転処理された参照印顆の印面の画像データを対比表示することにより、形態的特徴を更に詳細に評価することができ、印影鑑定を容易に実行できるようになる。
【産業上の利用可能性】
【００５２】
本発明は、印影鑑定のような鑑定業務のために適用することができる。
【符号の説明】
【００５３】
１００      印影鑑定支援装置
１０１      演算処理装置
１０２      ＲＯＭ
１０３      ＲＡＭ
１０４      入力装置
１０５      読取装置
１０６      表示装置
１０７      出力装置
２００      印影鑑定支援プログラム
２０１      画像読取手段
２０２      記憶手段
２０３      重ね合わせ手段
２０４      輪郭化手段
２０５      色彩変更手段
２０６      反転手段
２０７      表示手段
【図１】
2019003253.tif 000003
【図２】
2019003253.tif 000004
【図３】
2019003253.tif 000005
【図４】
2019003253.tif 000006
【図５】
2019003253.tif 000007
【図６】
2019003253.tif 000008
【図７】
2019003253.tif 000009
【図８】
2019003253.tif 000010
【図９】
2019003253.tif 000011
【図１０】
2019003253.tif 000012